(57)【特許請求の範囲】
【請求項１】
消費財のための容器であって、前記容器が、
複数の消費財を受けるためのハウジングであって、前記ハウジングが消費財を前記ハウジングから分与するための開口部を備える、ハウジングと、
前記ハウジングの中に受けられる複数の消費財であって、前記消費財は、細長いエアロゾル発生物品であり、また複数の細長い前記消費財は、前記消費財の各々の前記長さが前記開口部と実質的に平行になるように前記容器の中に配置され、前記消費財のうちの一つが前記容器から分与されるたびに、前記消費財の各々の長手方向における第一の端および第二の端が実質的に同時に前記開口部を通して進められる、複数の消費財と、
前記開口部の第一の側に隣接して前記ハウジングに固定される第一の端、および前記開口部の第一部を横切って延びる第二の端を備える、第一の密封フラップと、
前記開口部の第二の側に隣接して前記ハウジングに固定される第一の端、および前記開口部の第二部を横切って延びる第二の端を備える、第二の密封フラップであって、前記ハウジングの中の前記複数の消費財を密封するために、前記第一のフラップの前記第二の端と前記第二のフラップの前記第二の端とが相互に向かって付勢されて、前記開口部を横切って密封を形成する、第二の密封フラップと、
消費者によって起動された時に前記開口部を通して前記複数の消費財を分与するための分与機構と、を備え、前記分与機構の作動が前記第一の密封フラップの前記第二の端と前記第二の密封フラップの前記第二の端との間を、かつ前記開口部を通して前記消費財のうちの一つを進めるように前記分与機構が構成され、また前記ハウジング内の残りの前記消費財が前記容器の中で再密封されるように、前記消費財の各々が分与された後、前記第一の密封フラップの前記第二の端と前記第二の密封フラップの前記第二の端とが相互に向かって付勢されるように、前記第一の密封フラップおよび前記第二の密封フラップが構成される、容器。
【請求項２】
前記開口部が、長さと幅の比が少なくとも２対１である細長い開口部である、請求項１に記載の容器。
【請求項３】
前記第一の密封フラップおよび第二の密封フラップが弾性材料から形成される、請求項１または２に記載の容器。
【請求項４】
前記第一の密封フラップおよび前記第二の密封フラップの各々が、前記密封フラップの前記第二の端が一緒に付勢されるように、湾曲した形状を有する、請求項３に記載の容器。
【請求項５】
前記複数の消費財を受けるための、かつ前記ハウジングの中に収容された内側ライナーをさらに備え、前記内側ライナーが前記開口部に隣接する開口を備え、前記第一の密封フラップと前記第二の密封フラップが前記内側ライナーと協働して、前記密封フラップと前記内側ライナーの開口の前記端との間に連続的な密封を形成する、請求項１〜４のいずれか一項に記載の容器。
【請求項６】
前記内側ライナーが、相互に向かって付勢される第一の部分および第二の部分を備え、前記内側ライナーの開口が前記第一の部分と第二の部分との間に延び、また前記第一の部分および前記第二の部分の各々は、第一の端部分および第二の端部分の上の突起部が前記開口部を通した前記消費財の段階的な分与を容易にする拘束部を形成するように、前記開口部から間隔が置かれた前記突起部を備える、請求項５に記載の容器。
【請求項７】
前記分与機構が、前記ハウジングの中で、および前記開口部に向かって摺動するように配置されるピストンを備え、前記容器が前記開口部と前記ピストンとの間に複数の消費財を受けるように構成される、請求項１〜６のいずれか一項に記載の容器。
【請求項８】
前記ハウジングが、前記ハウジングの第一の壁に沿って延びる細長いスロットを備え、前記分与機構が前記ハウジングの外側に位置付けられたボタンおよび前記細長いスロットを通して延びるシャフトをさらに備え、また前記シャフトが、前記ボタンに接続される第一の端および前記ピストンに接続される第二の端を備える、請求項７に記載の容器。
【請求項９】
前記第一の壁の内表面上に提供され、かつ前記細長いスロットと平行に延びる複数のラチェット歯と、
前記シャフトの前記第二の端を前記ピストンに接続するために前記シャフトと前記ピストンとの間に延びるつめであって、前記つめが前記複数のラチェット歯に向かって付勢され、また前記ピストンが前記開口部に向かって進められると前記つめが連続的なラチェット歯と係合する、つめと、をさらに備える、請求項８に記載の容器。
【請求項１０】
前記つめが可撓性のつめであり、また前記ボタンを前記第一の壁に向かって押すことによって前記可撓性のつめを前記ラチェット歯から係脱し、前記開口部から遠ざかる前記ピストンの摺動動作を許容するように前記分与機構が構成される、請求項９に記載の容器。
【請求項１１】
前記容器の中に複数の消費財を密封するための閉位置と、一つ以上の消費財を前記容器の中に挿入することができる開位置との間で移動可能である移動可能パネルをさらに備える、請求項１〜１０のいずれか一項に記載の容器。
【請求項１２】
前記容器の中に受けられる複数の消費財をさらに備える、請求項１〜１１のいずれか一項に記載の容器。
【発明の詳細な説明】
【技術分野】
【０００１】
本発明は、複数の消費財のための容器に関し、この容器は消費財のうちの一つ以上を分与し、一方で残りの消費財を容器の中で密封された状態に保つように構成される。本発明による容器には、エアロゾル発生物品などの細長い消費財用の容器としての特定の用途がある。
【背景技術】
【０００２】
消費財は一般に、運搬中に消費財を保護するためにパッケージ内または容器内に入れられて、製造者から消費者に供給される。一部の場合において、パッケージまたは容器は、消費財が包装された環境を実質的に維持するように望ましく密封されている。例えば、一部の消費財は水分感受性が高く、かつこうした場合において、容器の中の水分を保持すること、または周囲環境から容器に水分が入るのを防止することのいずれかが望ましいまたは必要である場合がある。
【０００３】
紙巻たばこなどのエアロゾル発生物品は、周囲環境からエアロゾル発生物品への過剰な水分の侵入を防止するために製造の時点でそれらを容器の中に密封することが望ましい場合がある消費財の例である。例えば、紙巻たばこなどのエアロゾル発生物品は一般に、たばこなどのエアロゾル形成基体を備える。製造後および消費者への送達前に、エアロゾル形成基体による周囲環境からの水分の吸収を防止することがしばしば望ましい。
【０００４】
さらに、たばこが燃焼するよりはむしろ加熱される多くのエアロゾル発生物品が、当業界において提唱されてきた。例えば、国際特許公開第２００９／０２２２３２号は、可燃性熱源と、可燃性熱源の下流のエアロゾル形成基体と、可燃性熱源の後方部分およびエアロゾル形成基体の隣接する前方部分の周りにある、およびそれらと接触する熱伝導性要素とを備えるエアロゾル発生物品を開示する。さらに、エアロゾル形成基体による水分の吸収を防止するためには、こうしたエアロゾル発生物品内の可燃性熱源による水分の吸収を防止することも望ましい場合がある。
【発明の概要】
【発明が解決しようとする課題】
【０００５】
エアロゾル発生物品を周囲の環境から保護するために、こうした物品の束は一般に、容器の中に密封され、通常はヒンジリッドボックスの中に収容される内側ライナーを備える。しかし、こうした容器はしばしば、エアロゾル発生物品と周囲環境の間に有効なバリアを提供するために、ボックスおよび内側ライナーが最初に開口されるまでのみ有用である。一般に、エアロゾル発生物品のための従来の容器が最初に開口されると、いかなる密封の有効性も著しく低減される場合がある。
【０００６】
従って、容器の中の残りの消費財の密封を実質的に損なうことなく、容器から一つ以上の消費財を取り出すことができる、消費財のための密封された容器を提供することが望ましいことになる。
【課題を解決するための手段】
【０００７】
本発明によると、消費財用の容器が提供され、容器は複数の消費財を受けるためのハウジングを備え、ハウジングは消費財をハウジングから分与するための開口部を備える。容器は、開口部の第一の側に隣接してハウジングに固定される第一の端、および開口部の第一部を横切って延びる第二の端を備える、第一の密封フラップをさらに備える。容器はまた、開口部の第二の側に隣接してハウジングに固定される第一の端と、開口部の第二部を横切って延びる第二の端とを備える第二の密封フラップを備え、ハウジングの中の複数の消費財を密封するために、第一のフラップの第二の端と第二のフラップの第二の端は相互に向かって付勢されて、開口部を横切って密封を形成する。容器は、消費者によって起動された時、開口部を通して複数の消費財を分与するための分与機構を備え、分与機構の作動が、第一の密封フラップの第二の端と第二の密封フラップの第二の端との間で、および開口部を通して消費財のうちの一つを進めるように分与機構は構成される。第一の密封フラップおよび第二の密封フラップは、消費財の各々が分与された後、ハウジング内の残りの消費財が容器の中で再密封されるように、第一の密封フラップの第二の端および第二の密封フラップの第二の端が相互に向かって付勢されるように構成される。
【０００８】
一対の密封フラップと分与機構とを組み合わせることによって、本発明による容器は有利なことに、容器の中の残りの消費財の密封を損なうことなく一つ以上の消費財を容器から分与することができる。特に、消費者は必要な時に容器から一度に一つだけ消費財を分与することができ、一方で消費財の残りは容器の中で密封された状態に保たれる。
【０００９】
開口部は、長さと幅の比が少なくとも２対１である細長い開口部であってもよい。細長い開口部は、複数の細長い消費財を収容および分与するために容器が使用される実施形態において有利である場合がある。例えば、容器が複数の細長いエアロゾル発生物品を収容する実施形態において、各々の物品は、第一の端および第二の端が実質的に同時に開口部を通して進められるように開口部を通して分与されてもよい。こうした実施形態において、各々の物品の口側の端を把持することによってボックスから一般に取り出される、従来のヒンジリッドボックスの中に受けられるエアロゾル発生物品と比較して、消費者は分与される物品を物品の中央部分で把持することができる。各々の物品の中央部分（口側の端ではなく）を把持することによって物品を取り出すことは、容器からの物品の衛生的な取り出しを容易にするために好ましい場合がある。
【００１０】
上述の実施形態のいずれかにおいて、第一の密封フラップおよび第二の密封フラップは、弾性材料から形成されてもよい。本明細書で使用される「弾性材料」という用語は、弾性材料に力を印加するとその本来の形状または位置から変形または偏向する場合がある材料であって、また力を取り除くと弾性材料はその本来の形状または位置に実質的に戻る材料を記述するために使用される。
【００１１】
第一の密封フラップおよび第二の密封フラップを弾性材料から形成することは有利なことに、消費財の各々が分与された後の開口部の再密封を容易にする場合がある。例えば、第一の密封フラップおよび第二の密封フラップは、消費財が分与される時に、変形し、かつ消費財が第一の密封フラップと第二の密封フラップとの間および開口部を通して通過できるように構成された弾性材料から形成されてもよく、また第一の密封フラップおよび第二の密封フラップは、分与された消費財が取り出された後、開口部を再密封するようにその本来の形状および位置に実質的に戻る。
【００１２】
第一の密封フラップおよび第二の密封フラップを形成するための適切な弾性材料には例えば、グラフェン、一つ以上のゴム、一つ以上のシリコーン、およびこれらの組み合わせが挙げられる。適切なゴムには例えば、天然ゴム、クロロプレンゴム、エチレンプロピレンジエンゴム、アクリロニトリルブタジエンゴム、水素化ニトリルブタジエンゴム、クロロスルホン化ポリエチレンゴム、およびこれらの組み合わせが挙げられる。適切なシリコーンには例えば、一つ以上のポリジメチルシロキサンが挙げられる。弾性材料は、ポリテトラフルオロエチレンなどの低摩擦添加剤を含んでもよい。
【００１３】
第一の密封フラップおよび第二の密封フラップの各々を形成する弾性材料は、弾力性のある材料であってもよい。
【００１４】
第一の密封フラップおよび第二の密封フラップが弾性材料から形成される実施形態において、第一の密封フラップおよび第二の密封フラップの各々は、密封フラップの第二の端が一緒に付勢されるように、湾曲した形状を有することが好ましい。第一の密封フラップおよび第二の密封フラップの各々を湾曲した形状に形成し、かつ相互に向かって付勢することは有利なことに、第一の密封フラップと第二の密封フラップとの間の確かな密封を容易にする。
【００１５】
第一の密封フラップおよび第二の密封フラップの各々が湾曲した形状を有する実施形態において、第一の密封フラップおよび第二の密封フラップの各々は、ハウジングの外部に向かって面する凹状表面およびハウジングの内部に向かって面する凸状表面を有することが好ましい。湾曲した第一の密封フラップおよび第二の密封フラップのこうした配置は、消費財が開口部を通して進められるので、第一の密封フラップと第二の密封フラップの間の消費財の動きを容易にすることができる。湾曲した第一の密封フラップおよび第二の密封フラップのこうした配置は、ハウジングの中への異物の侵入を最小化または防止することができる。
【００１６】
上述の実施形態のいずれかにおいて、容器は複数の消費財を受けるための内側ライナーをさらに備えてもよく、内側ライナーはハウジングの中に収容される。内側ライナーは開口部に隣接する開口を備え、第一の密封フラップおよび第二の密封フラップは内側ライナーと協働して、密封フラップと内側ライナー開口の端との間に連続的な密封を形成する。内側ライナーを提供することは有利なことに、容器の中の消費財の密封を容易にする場合がある。例えば、ハウジングは消費財を機械的損傷から保護するために剛直な材料から構築されてもよく、また、こうした機械的保護を提供する上ではより有効ではないが、消費財の周りに密封を提供する上ではより有効である、より可撓性の材料から内側ライナーが形成されてもよい。
【００１７】
内側ライナーは、第一の密封フラップおよび第二の密封フラップと一体的に形成されてもよい。すなわち、第一の端に隣接する内側ライナーの第一の部分が第一の密封フラップを形成し、また第二の端に隣接する内側ライナーの第二の部分が第二の密封フラップを形成するように、内側ライナーの第一の端および第二の端は開口部に隣接するハウジングに固定されてもよい。
【００１８】
内側ライナーは第一の密封フラップおよび第二の密封フラップとは別個に形成されてもよく、内側ライナーは第一の密封フラップの第二の端に接続される第一の部分と、第二の密封フラップの第二の端に接続される第二の部分とを備える。
【００１９】
内側ライナーは相互に向かって付勢される第一の部分および第二の部分を備えてもよく、内側ライナー開口は第一の部分と第二の部分との間に延びる。第一の部分および第二の部分の各々は、開口部から間隔が置かれた突起部を備えることが好ましく、これによって第一の端部分および第二の端部分上の突起部が、開口部を通した消費財の段階的な分与を容易にする拘束部を形成する。特に、開口部を通して各々の消費財が分与されると、突起部によって内側ライナー内に作り出された拘束部は、分与されるべき次の消費財を把持し、かつこれを内側ライナー開口に隣接して保持し、分与できる状態にしてもよい。従って、この配置は、各々の連続的な消費財の信頼できる一貫した分与を提供する場合がある。
【００２０】
消費財が内側ライナー内の突起部によって作り出された拘束部内に保持される時でも、容器の中の残りの消費財を密封するために、第一の密封フラップおよび第二の密封フラップと、内側ライナーの第一の部分および第二の部分とが一緒になることができるように、内側ライナーの第一の部分および第二の部分の中の突起部は、開口部から十分に間隔が置かれることが好ましい。
【００２１】
開口部を通した消費財の段階的な分与を容易にする拘束部を使用する時、実質的に円形、長円形、または楕円形の断面形状を有する消費財（実質的に円形の断面形状を有するエアロゾル発生物品など）を分与するための容器を使用することが有利である場合がある。特に、こうした消費財の湾曲した表面は、突起部によって作り出された拘束部を通した連続的な消費財の動きを容易にする場合がある。
【００２２】
内側ライナーはシート材料から形成されてもよく、また各々の突起部は別個に形成されてもよく、シート材料に固定されてもよい。例えば、各々の突起部は、シート材料に固定された一片の材料を備えてもよい。
【００２３】
内側ライナーはシート材料から形成されてもよく、また各々の突起部はシート材料の個別の区域の上に第二の材料を付着することによって形成されてもよい。
【００２４】
内側ライナーはシート材料から形成されてもよく、また各々の突起部は突起部に隣接するシート材料の区域より厚さがより大きいシート材料の個別の部分によって形成されてもよい。
【００２５】
容器が内側ライナーを備える実施形態のいずれかにおいて、内側ライナーを形成するための適切な材料には例えば、グラフェン、一つ以上のゴム、一つ以上のシリコーン、およびこれらの組み合わせが挙げられる。適切なゴムには例えば、天然ゴム、クロロプレンゴム、エチレンプロピレンジエンゴム、アクリロニトリルブタジエンゴム、水素化ニトリルブタジエンゴム、クロロスルホン化ポリエチレンゴム、およびこれらの組み合わせが挙げられる。適切なシリコーンには例えば、一つ以上のポリジメチルシロキサンが挙げられる。内側ライナー材料は、ポリテトラフルオロエチレンなどの低摩擦添加剤を含んでもよい。
【００２６】
内側ライナーを形成する材料は弾力性のある材料であってもよい。
【００２７】
上述の実施形態のいずれかにおいて、分与機構は、ハウジングの中で、かつ開口部に向かって摺動するように配置されるピストンを備えてもよく、容器は開口部とピストンの間に複数の消費財を受けるように構成される。消費財を分与するために、消費者は消費財を開口部に向かって進めるためにピストンに力をかけてもよい。複数の消費財を開口部に向かって進めるためにピストンを使用することは有利なことに、ピストンと接触する消費財または消費財の部分にわたって消費者がかけた力の均一な分散を容易にすることができる。
【００２８】
容器が内側ライナーを備える実施形態において、内側ライナーの開口端は、内側ライナーとピストンの間に密封を形成するようにピストンに固定されてもよい。内側ライナーは、ハウジングの中のピストンの動きに順応するために、可撓性材料から形成されることが好ましい。
【００２９】
開口部はハウジングの第一の端で提供されてもよく、またハウジングはハウジング開口をハウジングの第二の端（第一の端の反対側）でさらに備えてもよい。ピストンおよび消費財を開口部に向かって進めるために、消費者はハウジング開口を通してピストンに力をかけてもよい。
【００３０】
ハウジングは、ハウジングの第一の壁に沿って延びる細長いスロットを備えてもよく、分与機構はハウジングの外側に位置付けられたボタンおよび細長いスロットを通して延びるシャフトをさらに備え、またシャフトはボタンに接続された第一の端およびピストンに接続された第二の端を備える。ピストンおよび消費財を開口部に向かって進めるために、消費者は細長いスロットに沿って、かつ開口部に向かってボタンおよびシャフトを摺動することができる。
【００３１】
ボタンはシャフトに直接接続されてもよく、またはボタンは一つ以上の介在する構成要素を介してシャフトに接続されてもよい。
【００３２】
シャフトはピストンに直接接続されてもよく、またはシャフトは一つ以上の介在する構成要素を介してピストンに接続されてもよい。
【００３３】
細長いスロットは第一の壁の第一の端から間隔が置かれた第一の端、および第一の壁の第二の端から間隔が置かれた第二の端を有することが好ましく、これによってシャフトは細長いスロットの中に捕らわれる。
【００３４】
分与機構は、ハウジングの第一の壁の内表面上に提供され、かつ細長いスロットと平行に延びる複数のラチェット歯と、シャフトの第二の端をピストンに接続するためにシャフトとピストンの間に延びるつめと、をさらに備えてもよい。つめは複数のラチェット歯に向かって付勢され、またつめはピストンが開口部に向かって進められるにつれて連続的なラチェット歯と係合する。ピストンが開口部に向かって進められるにつれて、つめが連続的なラチェット歯と係合するようにつめを構成することは有利なことに、開口部から遠ざかるピストンの摺動動作を防止する。従って、ラチェット機構は、次の消費財を分与できる状態にする正しい位置にピストンを保持する場合がある。
【００３５】
つめは可撓性のつめであり、また分与機構は、ボタンを第一の壁に向かって押すことによって可撓性のつめをラチェット歯から係脱し、開口部から遠ざかるピストンの摺動動作を許容するように構成されることが好ましい。こうした配置は、ピストンを開口部からその最大距離までリセットすることを可能にするので、容器が追加的な消費財で再充填される場合がある実施形態において有利である。可撓性のつめはシャフトに対して実質的に直角を成し、かつシャフトに接続された第一の端およびピストンに接続された第二の端を備えることが好ましい。こうした実施形態において、可撓性のつめは、ボタンがハウジングの第一の壁に向かって押された時、その第二の端でのピストンとの接続を中心として偏向してもよい。
【００３６】
上述の実施形態のいずれかにおいて、容器は、容器の中の複数の消費財を密封するための閉位置と、一つ以上の消費財を容器の中に挿入することができる開位置との間で移動可能である移動可能パネルをさらに備えてもよい。
【００３７】
移動可能パネルは締まりばめによって閉位置に保持されてもよい。
【００３８】
移動可能パネルは係止機構によって閉位置に保持されてもよい。
【００３９】
移動可能パネルは、ハウジングに接続されてもよい。容器は、移動可能パネルが開位置にある時にハウジング内の開口を通して一つ以上の消費財を容器の中に挿入することができ、また移動可能パネルが閉位置にある時に移動可能パネルが開口を覆うように構成されてもよい。移動可能パネルが閉位置にある時、ハウジングと移動可能パネルの間に密封が受けられるように、ハウジングおよび移動可能パネルのうちの少なくとも一つに密封が提供されてもよい。移動可能パネルは、ヒンジに沿ってハウジングに接続されてもよく、移動可能パネルはヒンジを中心として開位置と閉位置の間で移動可能である。
【００４０】
分与機構がピストンを備える実施形態において、移動可能パネルはピストンに接続されてもよい。容器は、移動可能パネルが開位置にある時にピストン内の開口を通して一つ以上の消費財を容器の中に挿入することができ、また移動可能パネルが閉位置にある時に移動可能パネルが開口を覆うように構成されてもよい。移動可能パネルが閉位置にある時にピストンと移動可能パネルの間に密封が受けられるように、ピストンおよび移動可能パネルのうちの少なくとも一つに密封が提供されてもよい。移動可能パネルは、ヒンジに沿ってピストンに接続されてもよく、移動可能パネルはヒンジを中心として開位置と閉位置の間で移動可能である。
【００４１】
上述の実施形態のいずれかにおいて、ハウジングは実質的に剛直な材料から形成されてもよい。ハウジングを形成するための適切な材料には例えば、一つ以上のプラスチック、一つ以上の金属、およびこれらの組み合わせが挙げられる。ハウジング材料はステンレス鋼を含んでもよい。ハウジング材料は３０４ステンレス鋼を含んでもよい。ハウジング材料は３１６ステンレス鋼を含んでもよい。
【００４２】
一つ以上の被覆材料がハウジング材料上に提供されてもよい。適切な被覆材料には例えば、インク、ラッカー、一つ以上のゴム、一つ以上のシリコーン、およびこれらの組み合わせが挙げられる。
【００４３】
上述の実施形態のいずれかにおいて、容器は、消費者がハウジングの開口部にアクセスすることができる開位置と、カバーがハウジングの開口部を実質的に覆う閉位置との間で移動可能なカバーをさらに備えてもよい。
【００４４】
カバーは締まりばめによって閉位置に保持されてもよい。
【００４５】
カバーは係止機構によって閉位置に保持されてもよい。
【００４６】
カバーが閉位置にある時、カバーはハウジングに接続されることが好ましい。カバーが開位置にある時、カバーはハウジングに取り付けられたままであってもよい。
【００４７】
カバーはハウジングに枢動可能に接続されてもよく、これによってカバーは開位置と閉位置の間で枢動されてもよい。
【００４８】
カバーはハウジングに摺動可能に接続されてもよく、これによってカバーは開位置と閉位置の間で摺動されてもよい。
【００４９】
カバーが閉位置にある時、カバーはハウジングに取り外し可能に接続されてもよく、カバーがハウジングから取り外された時、カバーが開位置になるように、カバーはハウジングから取り外し可能である。
【００５０】
カバーは実質的に剛直な材料から形成されてもよい。カバーを形成するための適切な材料には例えば、一つ以上のプラスチック、一つ以上の金属、およびこれらの組み合わせが挙げられる。カバー材料はステンレス鋼を含んでもよい。カバー材料は３０４ステンレス鋼を含んでもよい。カバー材料は３１６ステンレス鋼を含んでもよい。
【００５１】
一つ以上の被覆材料がカバー材料上に提供されてもよい。適切な被覆材料には例えば、インク、ラッカー、一つ以上のゴム、一つ以上のシリコーン、およびこれらの組み合わせが挙げられる。
【００５２】
上述の実施形態のいずれかにおいて、容器は容器の中に受けられる複数の消費財をさらに備えてもよい。複数の消費財はハウジングの中に受けられ、かつ存在する場合は、内側ライナーの内側に受けられる。
【００５３】
特にハウジング内の開口部が、長さと幅の比が少なくとも２対１である細長い開口部である実施形態において、複数の消費財は、各々の長さと幅の比が少なくとも２対１である複数の細長い消費財であってもよい。
【００５４】
消費財の各々は第一の端および第二の端を備えてもよく、複数の細長い消費財は、消費財の各々の長さが開口部と実質的に平行になるように容器の中に配置され、消費財のうちの一つが容器から分与されるたびに、消費財の各々の第一の端および第二の端が実質的に同時に開口部を通して進められる。
【００５５】
上述の通り、細長い消費財の各々の第一の端および第二の端が開口部を通して実質的に同時に進められるように容器を構成することは有利である場合がある。特に、消費財をこの方法で分与することは、消費者が分与された物品を物品の中央部分で把持できるようにする場合があり、これは、物品の端に触れるのを避けることが消費者にとって望ましい実施形態において有利である場合がある。例えば、消費財の各々は、口側の端を備えるエアロゾル発生物品であってもよく、衛生的な物品の容器からの取り出しを達成するために口側の端に触れるのを避けることが消費者にとって望ましい。消費財の各々は可燃性熱源を物品の上流端で備えるエアロゾル発生物品であってもよく、可燃性熱源の損傷のリスクを最小化するために上流端に触れるのを避けることが消費者にとって望ましい。
【００５６】
容器の中に受けられた複数の消費財を容器が備える上述の実施形態のいずれかにおいて、複数の消費財は複数のエアロゾル発生物品であってもよい。
【００５７】
エアロゾル発生物品は従来のフィルター付き紙巻たばこを含んでもよい。
【００５８】
各々のエアロゾル発生物品は、物品の上流端に位置付けられた可燃性熱源、可燃性熱源の下流に位置付けられたエアロゾル形成基体、およびエアロゾル形成基体の下流で、かつエアロゾル発生物品の口側の端に位置付けられたマウスピースを備えてもよい。
【００５９】
本明細書で使用される「上流」および「下流」という用語は、空気がユーザーによって物品を通して引き出される方向に関連して定義される、エアロゾル発生物品に沿った相対的位置を意味する。それ故に、口側の端は上流端から下流である。
【００６０】
可燃性熱源は固体の熱源であることが好ましく、また炭素、およびアルミニウム、マグネシウム、一つ以上の炭化物、一つ以上の窒化物、ならびにその組み合わせを含む炭素ベースの材料を含むがこれに限定されない任意の適切な可燃性燃料を備えてもよい。加熱式エアロゾル発生物品のための固体の可燃性熱源、およびこうした熱源を製造するための方法は当業界で周知であり、例えば米国特許第５，０４０，５５２号および米国特許第５，５９５，５７７号に記述される。一般に、加熱式エアロゾル発生物品のための周知の固体の可燃性熱源は炭素ベースであり、すなわち、これらは主たる可燃性材料として炭素を備える。
【００６１】
可燃性熱源はブラインド可燃性熱源であることが好ましい。本明細書で使用される「ブラインド」という用語は、いかなる気流チャネルも含まない熱源を記述する。
【００６２】
エアロゾル形成基体は固体のエアロゾル形成基体であってもよい。別の方法として、エアロゾル形成基体は固体構成要素と液体構成要素の両方を備えてもよい。エアロゾル形成基体は加熱に伴い基体から放出される揮発性のたばこ風味化合物を含む、たばこ含有材料を含んでもよい。別の方法として、エアロゾル形成基体は非たばこ材料を含んでもよい。エアロゾル形成基体は一つ以上のエアロゾル形成体をさらに含んでもよい。適切なエアロゾル形成体の例には、グリセリンおよびプロピレングリコールが挙げられるが、これらに限定されない。
【００６３】
一部の実施形態において、エアロゾル形成基体は、たばこ含有材料を含むロッドである。
【００６４】
マウスピースはフィルターを含んでもよい。例えば、マウスピースは一つ以上のセグメントを有するフィルタープラグを備えてもよい。マウスピースがフィルタープラグを備える場合、フィルタープラグは単一のセグメントフィルタープラグであることが好ましい。フィルタープラグは、酢酸セルロース、紙、もしくはその他の適切な周知の濾過材料、またはその組み合わせを含む一つ以上のセグメントを備えてもよい。フィルタープラグは濾過効率の低い濾過材料を含むことが好ましい。
【００６５】
各々のエアロゾル発生物品は実質的に円筒状の形状であってもよい。各々のエアロゾル発生物品は実質的に細長くてもよい。各々のエアロゾル発生物品は、長さと、実質的に長さと直角を成す円周とを有する。
【００６６】
各々のエアロゾル発生物品は、例えば低い空気浸透性を持つシガレットペーパーの外側ラッパーによって取り囲まれてもよい。
【００６７】
マウスピースはチッピングペーパーによって取り囲まれていてもよい。
【００６８】
本発明を、添付図面を参照しながら、例証としてのみであるがさらに説明する。
【図面の簡単な説明】
【００６９】
【図１】図１は、本発明による容器の斜視断面図を示す。
【図２】図２は、図１の容器の上面図を示す。
【図３】図３は、図１の容器の前面図を示す。
【図４】図４は、図１の容器の底面図を示す。
【図５】図５は、図１の容器の側面図を示す。
【図６】図６は、図１の容器の分与機構の詳細断面図を示す。
【図７】図７は、図１の容器の分与機構の詳細断面図を示す。
【図８】図８は、図１の容器の部分断面図を示し、また消費財の容器からの分与を図示する。
【図９】図９は、図１の容器の部分断面図を示し、また消費財の容器からの分与を図示する。
【発明を実施するための形態】
【００７０】
図１〜図５は、本発明による消費財の容器１０を示す。容器１０は、ハウジング１２と、ハウジング１２の中に受けられる内側ライナー１４とを備える。複数のエアロゾル発生物品を含む複数の消費財１６は、内側ライナー１２の中に受けられる。開口部１８は、ハウジング１２の上部に提供され、容器１０は開口部１８を通して消費財１６を分与するように構成される。随意に、開口部１８を保護するためにハウジング１２の上部に取り外し可能なカバー１９を取り付けることができる。
【００７１】
第一の密封フラップ２０および第二の密封フラップ２２は開口部１８に隣接してハウジング１２に接続され、各々の密封フラップ２０、２２は第一の端に沿ってハウジング１２に接続される。内側ライナー１４の第一の部分２４は第一の密封フラップ２０の第二の端に接続され、また内側ライナー１４の第二の部分２６は第二の密封フラップ２２の第二の端に接続される。第一の密封フラップ２０および第二の密封フラップ２２は、相互に向かって付勢されるように、湾曲しており、かつ弾性材料から形成される。同様に、内側ライナー１４の第一の部分２４および第二の部分２６は、相互に向かって付勢されるように、湾曲しており、かつ弾性材料から形成される。従って、消費財１６のうちのいずれも開口部１８を通して分与されない時には、内側ライナー１４の第一の密封フラップ２０および第二の密封フラップ２２ならびに第一の部分２４および第二の部分２６が、開口部１８を覆い、かつ消費財１６を容器の中に密封するように、内側ライナー１４の第一の密封フラップ２０および第一の部分２４は、内側ライナー１４の第二の密封フラップ２２および第二の部分２６に向かって付勢される（図２に図示）。
【００７２】
開口部１８を通した消費財１６の分与を容易にするために、容器１０は消費財１６を開口部１８に向かって進めるための分与機構２８を備える。図３、図６、および図７で最も明瞭に示される通り、分与機構２８は、ハウジング１２の中に摺動可能に受けられたピストン３０、およびハウジング１２の外側に位置付けられたボタン３２を備える。ボタン３２は、ハウジング１２の壁にある細長いスロット３６を通して延びるシャフト３４に接続される。シャフト３４は、可撓性のつめ３８によってピストン３０に接続され、可撓性のつめ３８は、ハウジング１２の内表面上に提供される一連のラチェット歯４０と係合し、かつ細長いスロット３６と平行に延びる。ポリテトラフルオロエチレンなどの低摩擦材料４２、がピストン３０とハウジング１２の内表面との間に提供されてもよい。
【００７３】
消費財１６を容器１０から分与するために、消費者はボタン３２を細長いスロット３６に沿って押し、ピストン３０および消費財１６を開口部１８に向かって進めることができる。分与機構２８が開口部１８に向かって進み、かつ各々の消費財１６が分与されるにつれて、分与機構２８が定位置に留まり、かつ次の消費財１６を分与できる状態になるように、可撓性のつめ３８は連続的なラチェット歯４０と係合する。
【００７４】
図８および図９に示す通り、各々の消費財１６の分与中に、開口部１８の最も近くに位置付けられた消費財１６が、第一の密封フラップ２０および第二の密封フラップ２２と、内側ライナー１４の第一の部分２４および第二の部分２６との間で進められるように、ピストン３０は複数の消費財１６を開口部１８に向かって押す（図示の目的のために、図８および図９では容器１０の上部分および底部分のみが示される）。
【００７５】
内側ライナー１４の第一の部分２４および第二の部分２６には各々、突起部４４が提供されてもよく、第一の部分２４および第二の部分２６上の突起部４４は内側ライナー１４の上部で開口内に拘束部を形成する。消費財１６を分与する間、容器１０内の次の消費財１６は、分与機構２８のその後の作動中に分与するために消費財１６が開口部１８に隣接したままになるように、拘束部内に受けられ、かつ突起部４４の間に把持される。
【００７６】
全ての消費財１６が容器１０から分与されると、分与機構２８はリセットされることができ、容器１０はさらなる複数の消費財１６で再充填される。分与機構２８をリセットするために、消費者はハウジング１２に向かってボタン３２を押し、可撓性のつめ３８を偏向させて、可撓性のつめ３８をラチェット歯４０から係脱することができる。可撓性のつめ３８がラチェット歯４０から係脱すると、細長いスロット３６に沿って開口部１８から遠ざかるようにボタン３２を摺動することによってピストン３０をハウジング１２の底部に戻すことができる。
【００７７】
分与機構２８をリセットした後、ヒンジによってピストン３０に接続された移動可能パネル４６を開けることによって容器を再充填することができる。具体的には、移動可能パネル４６は、移動可能パネル４６がピストン３０を通して延びる開口を覆う閉位置と、ピストン３０を通して延びる開口を通して消費財１６をハウジング１２の中に挿入することができる開位置との間で、ヒンジを中心として枢動可能である。移動可能パネル４６を閉位置に保持するために、移動可能パネル４６上に係止機構４８が提供される。係止機構４８、移動可能パネル４６、およびピストン３０を通して延びる開口は、ハウジング１２の底部にある開口５０を介してアクセス可能である。
【図１】
0006987763.tif 000002
【図２】
0006987763.tif 000003
【図３】
0006987763.tif 000004
【図４】
0006987763.tif 000005
【図５】
0006987763.tif 000006
【図６】
0006987763.tif 000007
【図７】
0006987763.tif 000008
【図８】
0006987763.tif 000009
【図９】
0006987763.tif 000010